(57)【要約】      （修正有）【課題】外力を受けても、フレームが倒れ難いソーラーパネル用フレームモジュールを提供する。【解決手段】第１連接アーム２１と、第１連接アーム２１の一端に連接されている第２連接アーム２２と、第１連接アーム２１から突出する少なくとも一つの第１固定部２３と、第２連接アーム２２から突出する少なくとも一つの第２固定部２４と、を備える接続部材２０と、接続部材２０と連接する第１端部３１と、第１連接アーム２１を差込み可能な第１収容空間３２と、第１固定部２３と係合する少なくとも一つの第１係止穴３４と、その第１外壁面３５から延びる第１取付サイド溝３６と、を備える第１バー３０と、接続部材２０と連接する第２端部４１と、第２連接アーム２２を差込み可能な第２収容空間４２と、第２固定部２４と係合する少なくとも一つの第２係止穴４４と、その第２外壁面４５から延びる第２取付サイド溝４６と、を備える第２バー４０と、を含む。【選択図】図１
0003198764.tif 000002
【実用新案登録請求の範囲】
【請求項１】
ソーラーパネルを固定するためのソーラーパネル用フレームモジュールにおいて、
第１連接アームと、
前記第１連接アームの一端に連接されている第２連接アームと、
前記第１連接アームから突出する少なくとも一つの第１固定部と、
前記第２連接アームから突出する少なくとも一つの第２固定部と、を備え、
前記第１連接アームと前記第２連接アームが所定の角度で連接する接続部材と、
前記接続部材と連接する第１端部と、前記第１端部に位置して前記第１連接アームを差込み可能な第１収容空間と、前記第１収容空間の第１裏壁面に設けられており、前記第１固定部と係合する少なくとも一つの第１係止穴と、その第１外壁面から延びる第１取付サイド溝と、を備える第１バーと、
前記接続部材と連接する第２端部と、前記第２端部に位置して前記第２連接アームを差込み可能な第２収容空間と、前記第２収容空間の第２裏壁面に設けられており、前記第２固定部と係合する少なくとも一つの第２係止穴と、その第２外壁面から延びる第２取付サイド溝と、を備える第２バーと、
を含み、
前記第１バーと前記第２バーとが前記接続部材により互いに固定されて、前記第１取付サイド溝と前記第２取付サイド溝により、ソーラーパネルを固定可能な支持溝が形成されることを特徴とするソーラーパネル用フレームモジュール。
【請求項２】
前記第１係止穴と前記第２係止穴とは、それぞれ溝であることを特徴とする請求項１に記載のソーラーパネル用フレームモジュール。
【請求項３】
前記第１係止穴と前記第２係止穴とは、それぞれ貫通孔であることを特徴とする請求項１に記載のソーラーパネル用フレームモジュール。
【請求項４】
前記第１連接アームと前記第２連接アームの開角は９０度であることを特徴とする請求項１に記載のソーラーパネル用フレームモジュール。
【請求項５】
前記第１収容空間は、第１チューブ壁と、前記第１チューブ壁に囲まれる第１中空通路と、を含み、前記第１バーは、前記第１チューブ壁の外面から延びる第１延長部を含み、前記第１取付サイド溝は、前記第１延長部と前記第１チューブ壁との間に形成されていることを特徴とする請求項１に記載のソーラーパネル用フレームモジュール。
【請求項６】
前記第２収容空間は、第２チューブ壁と、前記第２チューブ壁に囲まれる第２中空通路と、を含み、前記第２バーは、前記第２チューブ壁の外面から延びる第２延長部を含み、前記第２取付サイド溝は、前記第２延長部と前記第２チューブ壁との間に形成されていることを特徴とする請求項１に記載のソーラーパネル用フレームモジュール。
【考案の詳細な説明】
【技術分野】
【０００１】
本考案は、ソーラーパネル用フレームモジュールに係り、より詳しくは、外力を受けても、フレームが倒れ難いソーラーパネル用フレームモジュールに関する。
【背景技術】
【０００２】
電力は、国民の日常生活の不可欠なエネルギーの一つである。日常生活において、電力を利用する電気用品が極めて多い。発電には、原子力発電、火力発電、風力発電及び太陽光発電などがある。しかし、原子力発電は汚染の問題があり、火力発電は環境を汚染する欠点があり、風力発電は適合の場所を選択することが必要であり、太陽光発電は、太陽光のエネルギーを利用するため、清潔なエネルギーとも言われる。そして太陽光発電は、その他の発電方式に比べて、コストがより低く、地球環境に優しいため、利用率がどんどん上昇している。
【０００３】
太陽光発電の原理は、ソーラーパネルにより、太陽光のエネルギーを電力に変換して蓄電することにある。ソーラーパネルは、フレームを利用してソーラーパネルを張り付けることにより、適正の角度で太陽光のエネルギーを吸収することが可能となる。従来のフレームとしては、例えば特許文献１の台湾実用新案Ｍ４３６８１７号の「太陽電池モジュール用フレーム組合体とそのフレーム」がある。  フレーム組合体は、少なくとも二つのフレームを含む。各フレームは、ケーブルを隠すケーブル隠しバーと、ケーブル隠しバーと連接してソーラーパネルを受ける複数のバーと、を含む。ケーブル隠しバーとバーの間、又はバー同士の間に、連接ブロックを挿入してこれらを連接することにより、矩形のフレームが形成される。
【０００４】
ケーブル隠しバーとバーの間、又はバー同士の間に、連接ブロックを挿入するという固定方式は、連接ブロックの外壁面とケーブル隠しバー又はバーの裏壁面との間の摩擦力、又は粘着樹脂により、ケーブル隠しバー又はバーに連接ブロックを固定するものである。これにより、連接ブロックがケーブル隠しバー又はバーから離脱することを防止可能である。しかし、上記固定方式によれば、フレームが外力を受けると、例えば衝突や地震などの場合には、連接ブロックがケーブル隠しバー又はバーから離脱して、当該フレームが倒れやすい。
【先行技術文献】
【特許文献】
【０００５】
【特許文献１】台湾実用新案Ｍ４３６８１７号公報
【特許文献２】特開２０１５−０４２８０２号公報
【考案の概要】
【考案が解決しようとする課題】
【０００６】
本考案の目的は、接続方式を改良することにより、外力を受けても、フレームが倒れ難いソーラーパネル用フレームモジュールを提供することにある。
【課題を解決するための手段】
【０００７】
本考案のソーラーパネル用フレームモジュールは、ソーラーパネルを固定するためのソーラーパネル用フレームモジュールにおいて、
第１連接アームと、
前記第１連接アームの一端に連接されている第２連接アームと、
前記第１連接アームから突出する少なくとも一つの第１固定部と、
前記第２連接アームから突出する少なくとも一つの第２固定部と、を備え、
前記第１連接アームと前記第２連接アームが所定の角度で連接する接続部材と、
前記接続部材と連接する第１端部と、前記第１端部に位置して前記第１連接アームを差込み可能な第１収容空間と、前記第１収容空間の第１裏壁面に設けられており、前記第１固定部と係合する少なくとも一つの第１係止穴と、その第１外壁面から延びる第１取付サイド溝と、を備える第１バーと、
前記接続部材と連接する第２端部と、前記第２端部に位置して前記第２連接アームを差込み可能な第２収容空間と、前記第２収容空間の第２裏壁面に設けられており、前記第２固定部と係合する少なくとも一つの第２係止穴と、その第２外壁面から延びる第２取付サイド溝と、を備える第２バーと、
を含み、
前記第１バーと前記第２バーとが前記接続部材により互いに固定されて、前記第１取付サイド溝と前記第２取付サイド溝により、ソーラーパネルを固定可能な支持溝が形成されることを特徴とする。
【０００８】
前記第１係止穴と前記第２係止穴とは、それぞれ溝であることを特徴とする。
【０００９】
前記第１係止穴と前記第２係止穴とは、それぞれ貫通孔であることを特徴とする。
【００１０】
前記第１連接アームと前記第２連接アームの開角は９０度であることを特徴とする。
【００１１】
前記第１収容空間は、第１チューブ壁と、前記第１チューブ壁に囲まれる第１中空通路と、を含み、前記第１バーは、前記第１チューブ壁の外面から延びる第１延長部を含み、前記第１取付サイド溝は、前記第１延長部と前記第１チューブ壁との間に形成されていることを特徴とする。
【００１２】
前記第２収容空間は、第２チューブ壁と、前記第２チューブ壁に囲まれる第２中空通路と、を含み、前記第２バーは、前記第２チューブ壁の外面から延びる第２延長部を含み、前記第２取付サイド溝は、前記第２延長部と前記第２チューブ壁との間に形成されていることを特徴とする。
【考案の効果】
【００１３】
本考案のソーラーパネル用フレームモジュールによれば、第１固定部が第１係止穴と係合し、且つ第２固定部が第２係止穴と係合するため、接続部材により、第１バーと第２バーが連接され、第１取付サイド溝と第２取付サイド溝とから、支持溝が形成されて、複数の支持溝により、ソーラーパネルを安定的に支持することが可能である。
【図面の簡単な説明】
【００１４】
【図１】本考案の一実施形態の構造を示す分解斜視図である。
【図２】本考案の一実施形態の構造を示す模式図である。
【考案を実施するための形態】
【００１５】
以下、本考案を図面に基づいて詳しく説明する。
図１は本考案の一実施形態の構造を示す分解斜視図である。本実施形態に係るソーラーパネル用フレームモジュールは、ソーラーパネルを固定するためのものであり、接続部材２０と、第１バー３０と、第２バー４０と、を含む。接続部材２０は、第１連接アーム２１と、第２連接アーム２２と、少なくとも一つの第１固定部２３と、少なくとも一つの第２固定部２４と、を含む。第２連接アーム２２は第１連接アーム２１の一端に連接されている。第１連接アーム２１と第２連接アーム２２の開角は９０度であることが好ましい。第１固定部２３は第１連接アーム２１から突出する。第２固定部２４は第２連接アーム２２から突出する。
【００１６】
第１バー３０は、第１端部３１と、第１収容空間３２と、少なくとも一つの第１係止穴３４と、第１外壁面３５と、第１取付サイド溝３６と、第１延長部３７と、を含む。第１収容空間３２は、第１端部３１に設けられており、第１連接アーム２１が挿入可能である。第１収容空間３２は、第１チューブ壁３２１と、第１チューブ壁３２１に囲まれる第１中空通路３２２と、を含み、第１中空通路３２２が第１連接アーム２１を収容する。第１係止穴３４は、第１収容空間３２の第１裏壁面３３に設けられており、第１固定部２３に対応する。第１収容空間３２に第１連接アーム２１を差し込むと、第１固定部２３が第１係止穴３４と係合する。第１取付サイド溝３６は、第１外壁面３５から上方に延びて第１延長部３７を形成する。すなわち、第１取付サイド溝３６は、第１延長部３７と第１チューブ壁３２１との間に形成されている。
【００１７】
第２バー４０は、第２端部４１と、第２収容空間４２と、少なくとも一つの第２係止穴４４と、第２外壁面４５と、第２取付サイド溝４６と、第２延長部４７と、を含む。第２収容空間４２は、第２端部４１に設けられており、第２連接アーム２２が挿入可能である。第２収容空間４２は、第２チューブ壁４２１と、第２チューブ壁４２１に囲まれる第２中空通路４２２と、を含み、第２中空通路４２２が第２連接アーム２２を収容する。第２係止穴４４は、第２収容空間４２第２裏壁面４３に設けられており、第２固定部２４に対応する。第２収容空間４２に第２連接アーム２２を差し込むと、第２固定部２４が第２係止穴４４と係合する。第２取付サイド溝４６は、第２外壁面４５から上方に延びて第２延長部４７を形成する。すなわち、第２取付サイド溝４６は、第２延長部４７と第２チューブ壁４２１との間に形成されている。本実施形態では、第１係止穴３４と第２係止穴４４とは、溝、又は貫通孔である。
【００１８】
図２は本考案の一実施形態の構造を示す模式図である。第１バー３０と第２バー４０とは、それぞれ二つある。接続部材２０は四つある。接続部材２０の第１連接アーム２１の一端は、第１バー３０に差し込む。接続部材２０の第２連接アーム２２の一端は、第２バー４０に差し込む。第１固定部２３が第１係止穴３４と係合し、且つ第２固定部２４が第２係止穴４４と係合するため、接続が安定的となる。接続部材２０の第１連接アーム２１の他端は、第２連接アーム２２の他端と連接する。第１連接アーム２１と第２連接アーム２２の開角は９０度である。接続部材２０により、第１バー３０と第２バー４０が連接されて、第１取付サイド溝３６（図２に示せず、図１参照）と第２取付サイド溝４６（図２に示せず、図１参照）とから、ソーラーパネル１０を固定するための支持溝が形成される。複数の前記支持溝により、ソーラーパネル１０が安定的に支持される。本実施形態では、前記支持溝が四つある。
【００１９】
以上、本考案に関する好ましい実施形態を説明したが、本考案は前記実施形態に限定されるものではなく、本考案の属する技術分野を逸脱しない範囲での全ての変更が含まれる。
【産業上の利用可能性】
【００２０】
本考案は、ソーラーパネルに適用することができる。
【符号の説明】
【００２１】
１０  ソーラーパネル
２０  接続部材
２１  第１連接アーム
２２  第２連接アーム
２３  第１固定部
２４  第２固定部
３０  第１バー
３１  第１端部
３２  第１収容空間
３３  第１裏壁面
３４  第１係止穴
３５  第１外壁面
３６  第１取付サイド溝
３７  第１延長部
４０  第２バー
４１  第２端部
４２  第２収容空間
４３  第２裏壁面
４４  第２係止穴
４５  第２外壁面
４６  第２取付サイド溝
４７  第２延長部
３２１  第１チューブ壁
３２２  第１中空通路
４２１  第２チューブ壁
４２２  第２中空通路
【図１】
0003198764.tif 000003
【図２】
0003198764.tif 000004